(57)【要約】【課題】ブラケットの取り付け誤差や、収容ケースの作成誤差に左右されずに外観を損なうことなく取り付け可能であり、かつ、収容体内部への雨水、塵芥等の侵入を確実に防止することができる収容ケースを提供することを目的とする。【解決手段】上記課題を解決するため、収容ケース１が開口の幅方向に延長し、互いに間隙Ｌを有して配置される複数のカバー本体３０と、前記間隙よりも広く形成され、カバー本体３０の裏面から前記間隙Ｌを遮蔽する裏面遮蔽板４０とよりなり、裏面遮蔽板４０がカバー本体３０の裏面形状に沿って当接するシール部材４１ａを備える構成とした。【選択図】図４
2010116750.tif 000002
【特許請求の範囲】
【請求項１】
構造物躯体の開口を開閉する開閉手段を収容する収容ケースであって、
前記収容ケースが前記開口の幅方向に延長し、互いに間隙を有して配置される複数のカバー本体と、
前記間隙よりも広く形成され、前記カバー本体の裏面側から前記間隙を遮蔽する裏面遮蔽板とよりなり、
前記裏面遮蔽板が前記カバー本体の裏面形状に沿って当接するシール部材を備えることを特徴とする収容ケース。
【請求項２】
前記カバー本体が前記間隙よりも広く形成され前記カバー本体の表面側から前記間隙を遮蔽する表面遮蔽板をさらに備えることを特徴とする請求項１に記載の収容ケース。
【請求項３】
前記裏面遮蔽板が前記構造物躯体から漸次下方に傾斜して延長する流路面を有することを特徴とする請求項１に記載の収容ケース。
【請求項４】
前記表面遮蔽板が前記カバー本体の表面形状に沿って当接するシール部材を備えることを特徴とする請求項２又は請求項３に記載の収容ケース。
【請求項５】
前記表面遮蔽板が前記裏面遮蔽板よりも下方に位置する排水面を有し、
当該排水面は前記構造物躯体から漸次上方に傾斜して延長し、
前記裏面遮蔽板から流下する水成分を前記構造物躯体側へ流下させることを特徴とする請求項２乃至請求項４いずれかに記載の収容ケース。
【発明の詳細な説明】
【技術分野】
【０００１】
本発明は、住宅を始めとする構造物に設置されるシャッター装置に関し、特に当該シャッター装置が備える開閉手段を収容する収容ケースに関する。
【背景技術】
【０００２】
従来、住宅、ビル、倉庫等の構造物の出入り口等の開口に設置されるシャッター装置は、開口部の上方において開口部の幅方向の距離に対応して、互いに離間して固着される複数のブラケットと、この複数のブラケット間に横架される回転軸を回転中心とする巻取り装置とを備える。
この巻取り装置には、シャッターカーテン等と称される開閉体の一端が取り付けられ、開閉体が巻取り装置の回転駆動により巻き取り又は繰り出されることにより開口部を開閉することが可能となる。
また、引用文献１に示すように、開口部の上方に位置する巻取り装置は、シャッターケース等と称される収容体に格納された状態で設置され、内部に雨水、塵芥等が侵入しない構造となっている。
【０００３】
この収容体は両端部が複数のブラケットに一致するように、開口部及び開閉体の幅方向に延長する部材として形成され、収容体が取り付けられることにより複数のブラケット及び巻取り装置が外部から視認不可能となる。
一方、収容ケースは開口部の幅方向の距離、即ちブラケット間の離間距離に合わせて多様な長さのものを作成する必要があるため、開口部の幅方向の距離が長大となる場合には作成上及び運搬上の観点から、予め収容体を複数の部材に分割した上で、取り付け作業時に複数の収容体の端縁同士を付き合わせることにより長大な開口部に対応しうる収容体が形成されていた。
しかし、実際の取り付け作業時においては複数の収容体の端縁同士を付き合わせて一体となった収容ケースを複数のブラケットに取り付ける際に、ブラケット自体の取り付け誤差や、複数に分割された収容ケースの作成誤差等の影響により、収容ケースの両端部とブラケットとの位置が合わず、収容ケースの両端部がブラケットよりも側方に飛び出す場合や、収容体の両端部がブラケットまで届かないといった事態が生じ、シャッター装置の本来備えるべき美観を損なう等の問題が発生していた。
また、収容ケースの取り付けに際し、複数に分割された収容ケースの端部を先行して複数のブラケットに重なるように位置決めした後に取り付ける場合であっても、前記誤差が生じる限り、突き合わせ部分に隙間や重なりが生じ、収容体内部への雨水、塵芥等の侵入や外観を損なう等の問題を解決することはできない。
【特許文献１】特開２００８−１３８３９９号公報
【特許文献２】特開２００８−１５０８１２号公報
【発明の開示】
【発明が解決しようとする課題】
【０００４】
そこで、本発明は前記問題を解消すべく、ブラケットの取り付け誤差や、収容ケースの作成誤差に左右されずに外観を損なうことなく取り付け可能であり、かつ、収容体内部への雨水、塵芥等の侵入を確実に防止することができる収容ケースを提供することを目的とする。
【課題を解決するための手段】
【０００５】
上記課題を解決するため、本発明の第一の構成として、収容ケースが開口の幅方向に延長し、互いに間隙を有して配置される複数のカバー本体と、間隙よりも広く形成され、カバー本体の裏面から間隙を遮蔽する裏面遮蔽板とよりなり、裏面遮蔽板がカバー本体の裏面形状に沿って当接するシール部材を備える構成とした。
本構成からなる収容ケースによれば、複数のカバー本体が互いに間隙を有して配置されることにより、仮にブラケットの取り付け誤差や作成誤差が生じたとしても間隙の範囲で誤差を吸収することができ、収容体の両端部がブラケットを過不足なく確実に覆うことができる。
また、間隙がこの間隙よりも広く形成されカバー本体の裏面から間隙を遮蔽する裏面遮蔽板により遮蔽されることにより、収容ケースの内部を外部から視認することができなくなり外観上の美観を損なうことを防止できる。
さらに、裏面遮蔽板がカバー本体の裏面形状に沿って当接するシール部材を備えることにより、間隙から雨水や塵芥等の異物がカバー本体の内部に侵入することを確実に防止することができる。
【０００６】
また、本発明の第二の構成として、カバー本体が間隙よりも広く形成されカバー本体の表面側から間隙を遮蔽する表面遮蔽板をさらに備えた構成とした。
本構成によれば、第一の構成から生じる効果に加え、表面遮蔽板が間隙をカバー本体の表面側から遮蔽することにより、間隙を裏面遮蔽板及び表面遮蔽板の両方で遮蔽するため、間隙から雨水や塵芥等の異物がカバー本体の内部に侵入することを一層防止することができる。
【０００７】
また、本発明の第三の構成として、裏面遮蔽板が構造物躯体から漸次下方に傾斜して延長する流路面を有する構成とした。
本構成によれば、第一の構成から生じる効果に加え、間隙から侵入した雨水や、結露等によって生じた水成分が流路面に沿って構造物躯体から離れる方向に流れるため、裏面遮蔽板上に溜まった水成分を下流側に流下させることができる。
【０００８】
また、本発明の第四の構成として、表面遮蔽板がカバー本体の表面形状に沿って当接するシール部材を備える構成とした。
本構成によれば、第二、第三の構成から生じる効果に加え、間隙から雨水や塵芥等の異物がカバー本体の内部に侵入することを一層防止することができる。また、表面遮蔽板上に溜まった水成分を下流側に適切に流下させることができる。
【０００９】
また、本発明の第五の構成として、表面遮蔽板が裏面遮蔽板よりも下方に位置する排水面を有し、排水面が構造物躯体から漸次上方に傾斜して延長し、裏面遮蔽板から流下する水成分を構造物躯体側へ流下させる構成とした。
本構成によれば第二乃至第四の構成から生じる効果に加え、表面遮蔽板が裏面遮蔽板よりも下方に位置し、構造物躯体から漸次上方に傾斜して延長する排水面を備えることにより、上方から流下してくる水成分を構造物躯体側から外部に排出させることができる。
なお、本明細書において幅方向とは開閉体の動作方向に直交する方向であって、開閉体の厚み方向ではない方向を意味する。
また、上記発明の概要は、本発明の必要な特徴の全てを列挙したものではなく、これらの特徴群のサブコンビネーションもまた、発明となり得る。
【発明を実施するための最良の形態】
【００１０】
以下、発明の実施形態を通じて本発明を詳説するが、以下の実施形態は特許請求の範囲に係る発明を限定するものではなく、また実施形態の中で説明される特徴の組み合わせの全てが発明の解決手段に必須であるとは限らず、選択的に採用される構成を含むものである。
【００１１】
図１（ａ）は、本発明に係る収容ケース１が採用された開閉装置１０の概略斜視図である。
同図において開閉装置１０は、構造物躯体１１に形成された開口部１２を中心として構造物躯体１１に対して設置される。
構造物躯体１１は住宅やビル、倉庫、工場等の構造物の内外を仕切る外壁や、前記構造物の内部において内部空間を仕切る内壁等であり、開口部１２は前記構造物躯体１１に形成され、内外に連通する空間として形成される。
開閉装置１０は概略、開口部１２の幅方向に互いに離隔して立設されるガイドレール１３，１３と、開口部１２及びガイドレール１３，１３の上方において、開口部１２の幅方向に離隔して配置される一対のブラケット１４，１４と、一対のブラケット１４，１４間に設置される巻取り装置１５（図２参照）と、当該巻取り装置１５に上端部が固着され、開口部１２を開閉する開閉体１６とを備える。
そして、本発明に係る収容ケース１は、前記一対のブラケット１４，１４間、即ち、開口の幅方向に沿って延長し、ブラケット１４，１４間に設置される巻取り装置１５及びブラケット１４，１４を外部から視認不可能なように覆う構造である。以下、これら各構成について詳述する。
【００１２】
ガイドレール１３，１３は開口部１２の幅方向両端部の構造物躯体１１に対して、長手方向が垂直となるように立設される中空状の部材である。ガイドレール１３，１３は横断面略コの字状の内部構造を有し、開閉体１６の幅方向端縁が挿入されることにより開閉体１６はガイドレールの内部と摺接しつつ、ガイドレール１３，１３に沿って昇降案内される。
即ち、本実施形態において開閉体１６は開口部１２の上下方向に昇降可能である。
【００１３】
図１（ｂ）は、ブラケット１４，１４の拡大斜視図である。
同図においてブラケット１４，１４はアルミ鋼，ステンレス鋼等により形成されるフレーム体１８と、側板１９とにより構成される。
フレーム体１８は、構造物躯体１１に取り付けられた状態において構造物躯体１１から水平に延出する下板１８ａと、構造物躯体１１に取り付けられた状態において構造物躯体１１から漸次下方に傾斜する上板１８ｂと、前記下板１８ａ及び上板１８ｂの一方の端部を結び垂直方向に延長する前板１８ｃとにより構成される。下板１８ａ及び上板１８ｂの他方の端部は垂直方向に折曲されることにより取り付け片１８ｄが形成される。
【００１４】
側板１９は、上記のとおり縦断面略コの字状に形成されたフレーム体１８の一方の端縁を覆うように固着される板体である。
なお、別体として形成された側板１９をフレーム体１８に固着するのではなく、フレーム体１８と側板１９とを一体に成形してもよい。
上記構成からなるブラケット１４，１４は取り付け片１８ｄが構造物躯体１１に対向するように、例えば一対のガイドレール１３，１３の直上又はガイドレール１３，１３の離間距離よりも離間又は近接して、図外の固定手段により構造物躯体１１に対して取り付けられる。
即ち、一対のブラケット１４，１４は互いに離間して対向し、同一高さに取り付けられて、外壁面や内壁面等の構造物躯体１１から一方向に向かって張り出す形態となる。
【００１５】
一対のブラケット１４，１４の間には複数の支持鋼２０ａ乃至２０ｄが横架される。支持鋼２０ａ乃至２０ｄは例えばＣ型鋼と称される縦断面略コの字状の鋼材であって、両端部がフレーム体１８の角部と一致するように其々位置決めされ、図外の固定手段により固定される。
即ち、支持鋼２０ａ乃至２０ｄは開口の幅方向に水平に延長する部材であって、ブラケット１４，１４間に架け渡されることにより、後述の収容ケース１を取り付ける際の基礎となる枠構造体２０を構成する部材である。
【００１６】
図２は前記ブラケット１４，１４と支持鋼２０ａ乃至２０ｄとにより構成される枠構造体２０に対して巻取り装置１５を取り付けた状態を示す。
同図において巻取り装置１５は、ブラケット１４，１４間に架け渡されて、図外の固定手段により回動不能に支持される中心軸２１と、中心軸２１の周囲に巻回されるコイルバネ２２と、中心軸２１を中心とし、軸受け等の支承手段を介して回動自在に取り付けられるホイール２３とを備える。
コイルバネ２２は一端が中心軸２１の係止部に係止され、他端がホイール２３に係止される。ホイール２３互いに軸方向に離間する一対の回転体であって、軸方向に延長する連結体２４により互いに連結される。
【００１７】
ホイール２３には、後述の開閉体１６の上端部が連結されており、ホイール２３が正回転又は逆回転することにより開閉体１６を巻き取ったり、繰り出したりすることが可能となる。
また、コイルバネ２２は開閉体１６が開口部１２を閉鎖する方向に繰り出された状態において、開口部１２を開放する方向に反力が生じるため、使用者が開口部１２を開放する際には僅かな力で開閉体１６を巻き取ることができる。
【００１８】
図１（ａ）において開閉体１６は、開口部１２の幅方向に長尺なスラット２５と称される板状部材が開口部１２の上下方向（開閉方向）に連接されることにより形成される。
スラット２５は、押出成形、引抜成形、曲げ加工等の施された板状体であり、上下に形成されたカール部と、平坦部とが形成される。一つのスラット２５に形成された上方に位置するカール部は、直上に位置する他のスラット２５の下方に位置するカール部と係合される。また、最下方に位置するスラット２５の下端部には座板２６が係合される。
座板２６は開口部１２が開閉体１６によって全閉された状態において、構造物躯体１１の床面や、地面と接地する部材であって、縦断面略Ｔ字状に形成される。
【００１９】
即ち、スラット２５は上下に隣り合うカール部同士が係合されることにより、隣接するスラット２５に対して回動可能に連接される。
そして、前記巻取り装置１５によって開閉体１６を巻き取り、開口部１２を全開した状態において、開閉体１６はホイール２３の周囲に積層されるように収容される。
なお、本実施例においてはスラット２５により構成される開閉体１６を例示したが、開口部１２の幅方向に長尺なパイプ材をリンク機構等によって上下に連接する構成のパイプグリルカーテン、多数のパネル材を連接する構成のパネルカーテン、スクリーンカーテン、シートカーテン、ネット材により構成されるネットカーテンと称される開閉体であってもよく、開口部１２を開閉し得るものであればその形態は問わない。
【００２０】
以下、図３乃至図５を参照し、前記枠構造体２０を覆うように取り付けられる収容ケース１について説明する。収容ケース１はブラケット１４，１４の間に横架される複数の支持鋼２０ａ乃至２０ｄに沿って取り付けられる部材である。
また、収容ケース１は複数に分割構成されて、互いに間隙を有して取り付けられるカバー本体３０と、前記間隙を遮蔽する裏面遮蔽板４０及び表面遮蔽板５０とから構成される。以下、各構成について詳述する。
【００２１】
図３は、カバー本体３０の構成を示す斜視図である。
同図においてカバー本体３０は、押出成形、引張成形、板金加工等により、開口部１２の幅方向に長尺な縦断面略コの字状に形成される板状部材であって、上カバー３１と下カバー３５とが組み合わされることにより構成される。
上カバー３１は上面板３２と、上面板３２の一端部から上方に立ち上がる当接板３３と、上面板３２の他端部から下方に延長する接合板３４とからなる。
【００２２】
上面板３２は枠構造体２０に対して取り付けられた際に、枠構造体２０の上方、即ち、支持鋼２０ａ，２０ｂ間を覆う部分であって、構造物躯体１１から一方に向かって漸次下方に傾斜するように構成される（図５参照）。
なお、これに限るものではなく、一方に向かって水平に延長することや、一方に向かって上方に傾斜すること等、意匠上の多様な変更が可能である。
【００２３】
当接板３３は枠構造体２０に対して取り付けられた際に、構造物躯体１１の外壁等に沿って略垂直に立ち上がる部分である。
当接板３３の裏面３３ａは、上カバー３１の両端部がブラケット１４，１４に対して図外のボルト等の固定手段により固着されると、外部から雨水，塵芥等の異物が侵入不能なように構造物躯体１１の表面と当接する。なお、構造物躯体１１の表面と、裏面３３ａとの境界面から雨水，塵芥等の異物が侵入するのを一層防止するため、当接板３３の端縁に沿ってシーリング加工を施すことが望ましい。
【００２４】
接合板３４は枠構造体２０に対して取り付けられた際に上面板３２の他端部から略垂直に折曲される部分である。
接合板３４の裏面３４ａは、後述の下カバー３５の前方板３６の上端部の表面３６ａと重なり合うように接合される。
即ち、上カバー３１と下カバー３５とは、接合板３４の裏面３４ａと、前方板３６の表面３６ａとが重ね合わされた状態でビス等の固定手段により一体化されることにより、カバー本体３０を構成する。
なお、本例においてはカバー本体３０は上下のカバー３１，３５により分割構成する形態としたが、これに限るものではなく、カバー本体３０を一体のものとして成形してもよい。
【００２５】
前記のとおり上カバー３１と接合される下カバー３５は、前記上カバー３１の接合板３４と接合される前方板３６と、前方板３６の下端部から構造物躯体１１側に向かって略水平に延長する下面板３７と、下面板３７の構造物躯体１１側の端部から略垂直に立ち上がる垂直板３８とからなる。
【００２６】
前方板３６は枠構造体２０に対して取り付けられた際に、枠構造体２０の前方、即ち、支持鋼２０ｂ，２０ｃ間を覆う部分であって、上端部が前記接合板３４と接合されて、略垂直に下方に延長するように構成される。なお、前方板３６についても形状はこれに限られるものではなく、例えば構造物躯体１１側へ近づく方向に傾斜することや、構造物躯体１１側から離れる方向へ傾斜すること等、意匠上の多様な変更が可能である。
下面板３７は枠構造体２０に対して取り付けられた際に枠構造体２０の下方、即ち、支持鋼２０ｃから構造物躯体１１側に向かって略水平に延長する部分である。
垂直板３８は下面板３７における構造物躯体１１側の端部から略垂直に立ち上がる部分である。
【００２７】
以上のとおり構成されるカバー本体３０は、図３に示すようにカバー本体３０を開口部１２の幅方向に沿うように並列して複数配置した状態で、枠構造体２０に対して取り付けられる。具体的には、カバー本体３０，３０の外側端縁が縦断面略コの字状に形成されたフレーム体１８の外側端縁と一致するように位置決めされ、カバー本体３０，３０がブラケット１４，１４及び支持鋼２０ａ乃至２０ｄとにより構成される枠構造体２０の上方、前方、下方を覆うように取り付けられる（図１参照）。
そして、上記のように取り付けられたカバー本体３０，３０の外側端縁が位置決めされると、カバー本体３０，３０の互いに向かい合う内側端縁３０Ａとの間には間隙Ｌが形成される。
換言すれば、カバー本体３０は開口部１２の幅方向の長さ（最大間口）を二分した長さよりも短尺に設定されることにより、複数のカバー本体３０を枠構造体２０に対して並列に配置したときに、互いに向かい合う内側端縁同士が離間するような長さに形成される。
【００２８】
より詳細には、例えば開口部１２の最大間口（所望間口）を６５４０ｍｍと仮定し、間隙Ｌを１０ｍｍとして設定した場合、カバー本体３０の幅方向長さＷ＝（６５４０−１０）／２として設定される。
なお、間隙Ｌはブラケット１４，１４の取り付け誤差、カバー本体３０の成形誤差を考慮して任意に設定されるものであって上記数値に限定されるものではなく、精密な取り付け作業、成形作業が期待できる場合には例えば５ｍｍ等の数値としてもよく選択的に採用し得る数値である。
つまり、間隙Ｌを取り付け誤差、成形誤差を考慮した逃げ部として用いることにより、カバー本体３０，３０の外側端縁がブラケット１４，１４の側方に飛び出すことや、ブラケット１４，１４まで届かないといった不都合を確実に防止することができる。
【００２９】
図４は複数のカバー本体３０，３０間に形成された間隙Ｌを遮蔽する裏面遮蔽板４０と、表面遮蔽板５０とを示す斜視図である。
図５は前記裏面遮蔽板４０及び表面遮蔽板５０を図４に想像線で示すカバー本体３０，３０に取り付けた状態におけるＡ−Ａ線断面図である。以下、両図を参照し裏面遮蔽板４０及び表面遮蔽板５０の構成を詳説する。
【００３０】
図４において裏面遮蔽板４０は、アルミ鋼，ステンレス鋼等の鋼材に折り曲げ加工等が施されることにより成形される縦断面略コの字状の板体である。
裏面遮蔽板４０は、図５に示すようにカバー本体３０，３０の裏面に沿うように取り付けられ、間隙Ｌをカバー本体３０の裏面側から遮蔽する板体であって、傾斜板４１と垂下板４２及び下側板４３とからなる。
【００３１】
傾斜板４１は枠構造体２０の支持鋼２０ａ，２０ｂ間に架け渡される部分であって、カバー本体３０の上面板３２と対応するように構造物躯体１１側の支持鋼２０ａから支持鋼２０ｂに向かうに従って漸次下方に傾斜して延長する。
また、図４に示すように傾斜板４１の幅は前記複数のカバー本体３０，３０間の間隙Ｌよりも幅広に設定される。つまりカバー本体３０，３０はカバー本体３０，３０の内側端縁３０Ａ同士が傾斜板４１の表面上において、間隙Ｌを有して突き合わされる。
【００３２】
傾斜板４１の表面における幅方向両端面にはシール部材４１ａが取り付けられる。シール部材４１ａは傾斜板４１における幅方向両端面上において、傾斜板４１の延長方向に沿って取り付けられるものであって、例えば、合成ゴムＥＰＤＭ等から生成されるシール材が採用されるが、防水性を備えた部材であればその種類は問わない。
シール部材４１ａの上端面は、裏面遮蔽板４０がカバー本体３０の裏面に取り付けられた状態において、カバー本体３０の上面板３２の裏面と当接する。
【００３３】
即ち、傾斜板４１の表面は間隙Ｌを遮蔽すると共に、幅方向両端面上において間隙Ｌを挟んで相対向し傾斜板４１の延長方向に沿って延長するシール部材４１ａを備えることにより、カバー本体３０，３０間の間隙Ｌから雨水等の水成分や塵芥が侵入した場合であっても、侵入した雨水等を受け止め、水成分を傾斜に沿って構造物躯体１１側から離れる方向（支持鋼２０ｂ側）に流下させる流路面として構成される。
また、シール部材４１ａがカバー本体３０の裏面と当接していることから、表面上に受け止めた水成分等をカバー本体３０の内部側へ漏らすことがなく、確実に流下させることができる。
【００３４】
垂下板４２は、枠構造体２０の支持鋼２０ｂ，２０ｃ間に架け渡される部分であって、カバー本体３０の接合板３４及び前方板３６に対応するように略垂直に延長する。
垂下板４２の幅は傾斜板４１と同様に前記複数のカバー本体３０，３０間の間隙Ｌよりも幅広に設定される。
また、垂下板４２の表面における幅方向両端面にはシール部材４２ａが取り付けられる。シール部材４２ａは傾斜板４１における幅方向両端面上において、間隙Ｌを挟んで相対向し垂下板４２の延長方向に沿って取り付けられるものであって、前記シール部材４１ａの端部から連続的に延長する部材である。
シール部材４２ａの端面は、裏面遮蔽板４０がカバー本体３０の裏面に取り付けられた状態において、カバー本体３０の前方板３６の裏面に当接する。
【００３５】
即ち、垂下板４２の表面は間隙Ｌを遮蔽すると共に、幅方向両端面上において垂下板４２の延長方向に沿って延長するシール部材４２ａを備えることにより、カバー本体３０，３０間の間隙Ｌから雨水等の水成分や塵芥が侵入した場合や、雨水等の水成分や塵芥が上流に位置する傾斜板４１から流下してきた場合であっても、侵入した雨水等を下方に流下させることができる流路面として構成される。また、シール部材４２ａの端面がカバー本体３０の前方板３６の裏面と当接していることから、表面上を流下する水成分をカバー本体３０の内部側へ漏らすことがなく、確実に流下させることができる。
【００３６】
下側板４３は、枠構造体２０の支持鋼２０ｃから構造物躯体１１側に位置する支持鋼２０ｄに向かってカバー本体３０の下面板３７と対応するように略水平に延長する。
【００３７】
以上のとおり、裏側遮蔽板４０は傾斜板４１と垂下板４２と下側板４３とにより、縦断面略コの字状に形成され、特に傾斜板４１と垂下板４２とがカバー本体３０の裏面と当接するシール部材４１ａ，４２ａを備えたことにより、傾斜板４１と垂下板４２とが間隙Ｌから侵入した水成分を下流に流下させる樋のような機能を果たし、カバー本体３０の内部に水成分を漏らすことなく下流側に排水することが可能となる。
なお、流路面として構成される傾斜板４１及び垂下板４２に上流側から下流側に延長する溝を設けることや、表面を波型或いはＶ字状に形成することにより、表面上に付着した水成分の排水性を良好に保つことができる。
【００３８】
図５に示すように表面遮蔽板５０は、アルミ鋼，ステンレス鋼等の鋼材に折り曲げ加工等が施されることにより成形される縦断面略Ｌ字状の上表面遮蔽板５１と、下表面遮蔽板５５とが組み合わされてなる。表面遮蔽板５０は、カバー本体３０，３０の表面に沿うように取り付けられ、間隙Ｌをカバー本体３０の表面側から遮蔽する板体である。
なお、上記構成からなる表面遮蔽板５０はカバー本体３０，３０に対して防水性、排水性をより向上させるために選択的に採用し得る構成であり、軽量化の観点から合成樹脂製であってもよい。以下、各構成について詳説する。
【００３９】
上表面遮蔽板５１は、カバー本体３０の上面板３２と当接板３３及び接合板３４と其々対応する上遮蔽板５２と、立ち上がり板５３と、接合板５４とから構成される。
上遮蔽板５２は間隙Ｌを遮蔽するようにカバー本体３０の上面板３２の延長方向に沿って延長する。また、上遮蔽板５２の幅は前記複数のカバー本体３０，３０間の間隙Ｌよりも幅広に設定される。
上遮蔽板５２の裏面における幅方向両端面にはシール部材５２ａが取り付けられる。シール部材５２ａは上遮蔽板５２における幅方向両端面上において、間隙Ｌを挟んで相対向し上面板３２の延長方向に沿って取り付けられるものである。
シール部材５２ａの下端面は、表面遮蔽板５０がカバー本体３０に取り付けられた状態において、カバー本体３０の上面板３２の表面と当接する。
【００４０】
立ち上がり板５３は間隙Ｌを遮蔽するようにカバー本体３０の当接板３３の延長方向に沿って略垂直に延長する。また、立ち上がり板５３の幅は前記複数のカバー本体３０，３０間の間隙Ｌよりも幅広に設定される。立ち上がり板５３の裏面における幅方向両端面にはシール部材５３ａが取り付けられる。シール部材５３ａは立ち上がり板５３における幅方向両端面上において、間隙Ｌを挟んで相対向し当接板３３の延長方向に沿って取り付けられるものである。シール部材５３ａの端面は、表面遮蔽板５０がカバー本体３０に取り付けられた状態において、カバー本体３０の当接板３３の表面と当接する。
【００４１】
接合板５４は間隙Ｌを遮蔽するようにカバー本体３０の接合板３４の延長方向に沿って略垂直に延長する。また、接合板５４の幅は前記複数のカバー本体３０，３０間の間隙Ｌよりも幅広に設定される。接合板５４の裏面における幅方向両端面にはシール部材５４ａが取り付けられる。シール部材５４ａは接合板５４における幅方向両端面上において、間隙Ｌを挟んで相対向し接合板５４の延長方向に沿って取り付けられるものである。シール部材５４ａの端面は、表面遮蔽板５０がカバー本体３０に取り付けられた状態において、カバー本体３０の接合板３４の表面に当接する。
また、接合板５４の下端面と後述の前方遮蔽板５６の上端面とが互いに突き合わされることにより、上表面遮蔽板５１と下表面遮蔽板５５とが隙間無く一体化される。
【００４２】
下表面遮蔽板５５は、カバー本体３０の前方板３６及び下面板３７と其々対応する前方遮蔽板５６と下面遮蔽板５７とから構成される。
前方遮蔽板５６は間隙Ｌを遮蔽するようにカバー本体３０の前方板３６の延長方向に沿って延長する。前方遮蔽板５６の幅は前記複数のカバー本体３０，３０間の間隙Ｌよりも幅広に設定される。前方遮蔽板５６の裏面における幅方向両端面にはシール部材５６ａが取り付けられる。シール部材５６ａは前方遮蔽板５６における幅方向両端面上において、間隙Ｌを挟んで相対向し前方板３６の延長方向に沿って取り付けられるものである。
シール部材５６ａの端面は、表面遮蔽板５０がカバー本体３０に取り付けられた状態において、カバー本体３０の前方板３６の表面と当接する。
【００４３】
下面遮蔽板５７は間隙Ｌを遮蔽するようにカバー本体３０の下面板３７の延長方向に沿って延長する。なお、下面遮蔽板５７は支持鋼２０ｃから支持鋼２０ｄへ向かうに従って漸次下方に傾斜する面として構成されるのが望ましい。
また、下面遮蔽板５７の幅は前記複数のカバー本体３０，３０間の間隙Ｌよりも幅広に設定される。下面遮蔽板５７の裏面における幅方向両端面にはシール部材５７ａが取り付けられる。シール部材５７ａは下面遮蔽板５７における幅方向両端面上において、間隙Ｌを挟んで相対向し下面板３７の延長方向に沿って取り付けられるものである。
シール部材５７ａの上端面は、表面遮蔽板５０がカバー本体３０に取り付けられた状態において、カバー本体３０の下面板３７の表面と当接する。
なお、下面遮蔽板５７を傾斜面として構成した場合には下面板３７との離間距離が漸次大きくなるため、下面遮蔽板５７と下面板３７とのシール性を確保すべく、シール部材５７ａの形状を上端面が下面板３７の表面と常に当接する形状とするのが望ましい。
【００４４】
また、下面遮蔽板５７は構造物躯体１１側の端部に開口片５８を備える。開口片５８は下面遮蔽板５７の端部から垂直方向に立設される片であって、互いに対向する後述の開口片６１とにより開閉体１６の出入り口１７を構成する。
開口片５８は排水口５９を備える。排水口５９は開口片５８を前後方向に貫通する孔であって、底面が下面遮蔽板５７の裏面と同一高さとなるように開設される。
【００４５】
即ち、下面遮蔽板５７は外部から侵入した水成分等を流下させる裏面遮蔽板４０よりも下方に位置し、前記裏面遮蔽板４０の流路面として構成された傾斜板４１及び垂下板４２に沿って流下する水成分等を受け止め、受け止めた水成分等を流路中最も下流に位置し、外部に連通する排水口５９を通じて排出する排水面として構成される。
また、排水面としての下面遮蔽板５７を支持鋼２０ｃから支持鋼２０ｄへ向かうに従って漸次下方に傾斜する面、換言すれば、構造物躯体１１側から漸次上方に傾斜して延長する面とすれば、上方から流下してくる水成分等をより積極的に排出することが可能となる。
前記排水口５９から排出される水成分は開閉体１６の表面に沿って外部に排出される。
なお、前記傾斜板４１及び垂下板４２と同様に、排水面としての下面遮蔽板５７に上流側から下流側に延長する溝を設けることや、表面を波型或いはＶ字状に形成することにより、表面上に付着した水成分の排水性を良好に保つことができる。
【００４６】
以上のとおり、本構成からなる表面遮蔽板５０によれば、表面遮蔽板５０を構成する上表面遮蔽板５１及び下表面遮蔽板５５がカバー本体３０，３０間の間隙Ｌを表面側から遮蔽し、かつ、裏面に設けられたシール部材５２ａ，５３ａ，５４ａ，５６ａ，５７ａがカバー本体３０の表面に当接するため、カバー本体３０の外部から間隙Ｌを経て裏面遮蔽板４０に雨水等の水成分や塵芥が侵入することを防止できる。
【００４７】
即ち、裏面遮蔽板４０とカバー本体３０を挟んで互いに対向するように取り付けられた表面遮蔽板５０が間隙Ｌをカバー本体３０の表面側から覆うように遮蔽することにより、カバー本体３０の内部に水成分や塵芥が侵入するのを一層防止する二重防水の機能を果たす。また、前述のとおり表面遮蔽板５０は排水面としての下面遮蔽板５７を有するため、シール部材５２ａ，５３ａ，５４ａ，５６ａ，５７ａのシール性が経年等の理由により劣化し、水成分等が裏面遮蔽板４０の傾斜板４１と垂下板４２に受け止められた場合であっても、流下する水成分等を外部に排出することができる。
【００４８】
以下、前記のように構成される収容ケース１の組みつけ方法について説明する。
第一にブラケット１４，１４間に横架された支持鋼２０ａ乃至２０ｃに対して裏面遮蔽板４０が支持鋼２０ａ乃至２０ｃの延長長さの中間位置に図外の固定手段を介して取り付けられる。同時にブラケット１４，１４間に横架された支持鋼２０ｄに対して縦断面略Ｌ字状の開口板６０が取り付けられる。開口板６０は開口部１２の幅方向に延長する板体であって、Ｌ字状の面の内、垂直方向に立ち上がる開口片６１が前記開口片５８と対向する向きに固定される。
前記互いに対向する開口片５８，６１により開閉体１６が繰り出されたり巻き取られたりする場合の出入り口１７が形成される。
なお、開閉体１６の下端に形成された座板２６は開閉体１６が全開された状態において、開口板６０及び表面遮蔽板５０の構造物躯体１１側の底面と当接する。
【００４９】
次に、カバー本体３０，３０の外側端縁とブラケット１４，１４のフレーム体１８の外側端縁とを位置決めし、ビス等の固定手段によりカバー本体３０，３０を開口部１２の幅方向に延長するように取り付ける（図１，図３参照）。
カバー本体３０，３０が前記のようにブラケット１４，１４に取り付けられるとカバー本体３０，３０の内側端縁３０Ａは裏面遮蔽板４０上で間隙Ｌを有して互いに突き合わされる。そして、前記カバー本体３０，３０により形成された間隙Ｌを遮蔽するようにカバー本体３０の表面上に表面遮蔽板５０を構成する上表面遮蔽板５１及び下表面遮蔽板５５を取り付ける。
取り付けに際しては適所にビス等の固定手段を表面遮蔽板５０の表面上から裏面遮蔽板４０に向かって挿通することにより、収容ケース１を構成する裏面遮蔽板４０、カバー本体３０及び表面遮蔽板５０が強固に一体化される。
【００５０】
図６は、他の形態に係る収容ケース１Ａを示す断面図である。なお、上記最良の形態と同一構成については同一符号を用い、説明を省略する。同図において収容ケース１Ａは、縦断面扇状に形成されたカバー本体８０と、カバー本体８０の裏面側に配置される裏面遮蔽板８５と、カバー本体８０の表面側に配置される表面遮蔽板９０とを主たる構成とする。
【００５１】
カバー本体８０は前記カバー本体３０と同様に開口部１２の幅方向に延長する部材であって、複数のカバー本体８０が間隙Ｌを有するように裏面遮蔽板８５上で突き合わされる。
カバー本体８０は構造物躯体１１側に位置する支持鋼２０ａから支持鋼２０ｂを結ぶように、カバー本体８０の内部を中心とする円弧状に湾曲する湾曲板８１と、湾曲板８１の支持鋼２０ａ側の端部から構造物躯体１１の壁面に沿って略垂直に延長する当接板８２と、湾曲板８１の支持鋼２０ｂ側の端部から構造物躯体１１の壁面に向かって略水平に延長する底面板８３とにより形成される。
【００５２】
裏面遮蔽板８５は前記湾曲板８１に対応するように支持鋼２０ａ，２０ｂ間に延長する傾斜板８６と、傾斜板８６の支持鋼２０ｂ側の端部から構造物躯体１１の壁面に向かって略水平に延長する下面板８７とから形成される。
傾斜板８６は支持鋼２０ａから構造物躯体１１に対して離れる側に延長すると共に、屈曲部を経て支持鋼２０ｂに向かって延長する断面くの字状の板体である。
また、傾斜板８６の表面における幅方向両端部にはシール部材８６ａが取り付けられる。シール部材８６ａは傾斜板８６における幅方向両端面上において、傾斜板８６の延長方向に沿って取り付けられる。シール部材８６ａの上端面は、裏面遮蔽板８５がカバー本体８０の裏面に取り付けられた状態において、カバー本体８０の湾曲板８１の裏面と当接する。
なお、湾曲板８１の裏面と傾斜板８６の表面との間には板形状の相違により隙間が生じるが、シール部材８６ａを発泡系の部材とすれば間隙を埋めることが可能である。つまり、裏面遮蔽板８５は最良の実施形態のように、必ずしもカバー本体８０の断面形状と対応する形状でなくてもよく、シール部材８６ａがカバー本体８０の裏面と当接しさえすればよい。
【００５３】
前記のとおり傾斜板８６の表面は間隙Ｌを遮蔽すると共に、幅方向両端面上において間隙Ｌを挟んで相対向し傾斜板８６の延長方向に沿って延長するシール部材８６ａを備えることにより、カバー本体８０，８０間の間隙Ｌから雨水等の水成分や塵芥が侵入した場合であっても、侵入した雨水等を受け止め、水成分を傾斜に沿って構造物躯体１１側から離れる方向（支持鋼２０ｂ側）に流下させる流路面として構成される。
また、シール部材８６ａがカバー本体８０の裏面と当接していることから、表面上に受け止めた水成分等をカバー本体８０の内部側へ漏らすことがなく、確実に流下させることができる。
なお、底面板８３の構成については最良の実施形態における下側板４３と同一構成であるので説明を省略する。
【００５４】
表面遮蔽板９０は前記カバー本体８０の湾曲板８１と対応する湾曲遮蔽板９１と、当接板８２と対応する立ち上がり板９３と、底面板８３と対応する下面遮蔽板９４とにより形成される。
湾曲遮蔽板９１はカバー本体８０，８０の間隙Ｌよりも幅広に設定され、間隙Ｌを遮蔽するように湾曲板８１の外面形状に沿って延長する。湾曲遮蔽板９１の構造物躯体１１側端部には立ち上がり板９３がカバー本体８０の当接板８２に沿って略垂直に延長する。
湾曲遮蔽板９１の裏面における幅方向両端面にはシール部材９１ａが取り付けられる。シール部材９１ａは湾曲遮蔽板９１における幅方向両端面上において、間隙Ｌを挟んで相対向し、湾曲遮蔽板９１の延長方向に沿って取り付けられるものである。
シール部材９１ａの下端面は、湾曲遮蔽板９１がカバー本体８０に取り付けられた状態において、カバー本体８０の湾曲板８１の表面と当接する。
なお、立ち上がり板９３及び下面遮蔽板９４の構成については最良の実施形態における
接合板５４及び下面遮蔽板５７とそれぞれ同一構成であるので説明を省略する。
【００５５】
以上、本構成からなる表面遮蔽板９０によれば、表面遮蔽板９０を構成する湾曲遮蔽板９１及び下面遮蔽板９４がカバー本体８０，８０間の間隙Ｌを表面側から遮蔽し、かつ、裏面に設けられたシール部材９１ａ，９３ａ，９４ａがカバー本体８０の表面に当接するため、カバー本体８０の外部から間隙Ｌを経て裏面遮蔽板８５に雨水等の水成分や塵芥が侵入することを防止できる。
【００５６】
即ち、裏面遮蔽板８５とカバー本体８０を挟んで互いに対向するように取り付けられた表面遮蔽板９０が間隙Ｌをカバー本体８０の表面側から覆うように遮蔽することにより、カバー本体８０の内部に水成分や塵芥が侵入するのを一層防止する二重防水の機能を果たす。また、前述のとおり表面遮蔽板９０は排水面としての下面遮蔽板９４を有するため、シール部材９１ａ等のシール性が経年等の理由により劣化し、水成分等が裏面遮蔽板８５の傾斜板８６に受け止められた場合であっても、流下する水成分等を外部に排出することができる。
【００５７】
図７は、他の形態に係る収容ケース１Ｂであって、開閉装置１０を前記実施例における開口部１２よりも長大な開口部１２に適用した場合の斜視図である。なお、上記実施例と同一構成については同一の符号を用い、その説明を省略する。
【００５８】
同図において収容ケース１Ｂは枠構造体２０に取り付けられることにより、開口部１２の幅方向に沿って並列的に配置される３つのカバー本体１００乃至１０２を備える。
開口部１２の幅方向の中央に位置するカバー本体１００は、開口部１２の幅方向に延長する部材であって、その基本的構成はカバー本体３０と同一である。
中央のカバー本体１００の両端にはカバー本体１０１，１０２が配置される。カバー本体１０１，１０２はカバー本体１００よりも短尺に成形され、開口部１２の幅方向に延長する部材であって、その基本的構成はカバー本体３０と同一である。
カバー本体１００乃至１０２は枠構造体２０に対して、カバー本体１００の両側端縁１００Ａと、カバー本体１０１，１０２の内側端縁１０１Ａ，１０２Ａとの間に間隙Ｍ，Ｎが生じるように取り付けられる。
【００５９】
また、間隙Ｍ，Ｎには裏面遮蔽板４０と表面遮蔽板５０とがカバー本体１００乃至１０２の裏面及び表面から取り付けられることにより、雨水や塵芥などの異物がカバー本体１００乃至１０２の内部に侵入することが防止される。
つまり、本実施例における収容ケース１Ｂは、最大間口（所望間口）が長大なものとなった場合でも対応し得るように、複数のカバー本体を３以上に分割して構成し、さらに、ブラケット１４，１４の取り付け誤差やカバー本体の成形誤差を吸収する逃げ部としての間隙Ｍ，Ｎを複数設けた構成である。
【００６０】
このように、本発明に係る収容ケースは複数のカバー本体が間隙を有して配置されるため、開口部が長大な場合であってもカバー本体の分割数を適宜調整することにより開口部に対応した収容ケースを作成することができる。
また、４つ以上の多数に分割されたカバー本体を用いて収容ケースを構成する場合であっても、３つ以上の多数の間隙を裏面遮蔽板及び表面遮蔽板により遮蔽する構成とすることにより、万一、雨水、塵芥が表面遮蔽板から侵入した場合であっても、裏面遮蔽板及び表面遮蔽板によって、排出される構成である。
【００６１】
以上、本発明を実施の形態に基づいて説明したが、最良の形態に基づいて示した付加的又は選択的構成については他の形態にも当然に適用できることが明らかである。また、本発明の技術的範囲は上記実施形態に何ら限定されることはなく、多様な変更、改良を行い得ることが当業者において明らかである。また、そのような多様な変更、改良を加えた形態も本発明の技術的範囲に含まれ得ることが特許請求の範囲の記載から明らかである。
【図面の簡単な説明】
【００６２】
【図１】開閉装置１０の概略斜視図。
【図２】枠構造体２０の概略斜視図。
【図３】カバー本体３０の構成を示す斜視図。
【図４】裏面遮蔽板４０及び表面遮蔽板５０を示す斜視図。
【図５】図４のＡ−Ａ線断面図。
【図６】他の形態に係る収容ケース１Ａの断面図。
【図７】他の形態に係る収容ケース１Ｂの斜視図。
【符号の説明】
【００６３】
１  収容ケース、１０  開閉装置、１２  開口部、１４  ブラケット、１６  開閉体、
２０  枠構造体、３０  カバー本体、３１  上カバー、３５  下カバー、
４０  裏面遮蔽板、４１ａ  シール部材、５０  表面遮蔽板、５７  下面遮蔽板、
５９  排水口、１００  カバー本体、Ｌ，Ｍ，Ｎ  間隙、１Ａ  収容ケース、
１Ｂ  収容ケース。
【図１】
2010116750.tif 000003
【図２】
2010116750.tif 000004
【図３】
2010116750.tif 000005
【図４】
2010116750.tif 000006
【図５】
2010116750.tif 000007
【図６】
2010116750.tif 000008
【図７】
2010116750.tif 000009